(57)【要約】【課題】現状の点灯状態が分からなくても、照明機器を目標点灯状態となるように遠隔制御できる照明機器制御システムを提供する。【解決手段】中央制御部と、中央制御部とネットワークを介して接続され照明機器へリモコン信号を送信して照明機器の点灯状態を制御する照明制御部と、照明機器の照度を検出する照度検出部とを備え、照明制御部は、中央制御部からネットワークを介して送信されるリモコン信号生成情報と、照度検出部から伝送される照度情報とから照明機器を目標点灯状態に導くようにリモコン信号を生成する。【選択図】図１
2007141771.tif 000002
【特許請求の範囲】
【請求項１】
中央制御部と、中央制御部とネットワークを介して接続され照明機器へリモコン信号を送信して照明機器の点灯状態を制御する照明制御部と、照明機器の照度を検出する照度検出部とを備え、照明制御部は、中央制御部からネットワークを介して送信されるリモコン信号生成情報と、照度検出部から伝送される照度情報とから照明機器を目標点灯状態に導くようにリモコン信号を生成することを特徴とする照明機器制御システム。
【請求項２】
照明機器が、リモコン信号を受信する度に全灯状態から消灯状態へ照度を段階的に減少させ再び全灯状態に戻るサイクルを繰り返すサイクル式であり、照明制御部は照度検出部から照度が増したことを示す照度情報を得たときに、照明機器が消灯状態から全灯状態へ変化したと判断し、目標点灯状態へ導く基準点灯状態を予め設定する機能を備える請求項１に記載の照明機器制御システム。
【請求項３】
照明制御部は、照度検出部から照度が増したことを示す照度情報を得てから再び同情報を得るまでに要したリモコン信号の送信回数に基づいて前記サイクルを認識し、前記基準点灯状態から目標点灯状態へ導くのに必要なリモコン信号の送信回数を予め判断してリモコン信号を生成する機能を備える請求項２に記載の照明機器制御システム。
【請求項４】
中央制御部は、制御すべき照明機器に対応した前記リモコン信号生成情報を作成するための情報を外部情報源から前記ネットワークを介して取得する機能を備えることを特徴とする請求項１〜３のいずれか１つに記載の照明機器制御システム。
【請求項５】
前記リモコン信号生成情報は、照明機器の目標点灯状態を示す情報を含む請求項１〜４のいずれか１つに記載の照明機器制御システム。
【請求項６】
前記リモコン信号生成情報は、リモコン信号のキャリア周波数、フォーマットおよびリモコンコードの少なくとも１つの情報を更に含み、前記照明制御部は受信したリモコン信号生成情報を記憶する記憶部を備え、記憶部に記憶された前記情報に基づいてリモコン信号を生成する請求項５に記載の照明機器制御システム。
【請求項７】
前記照明制御部は、リモコン信号生成情報を受信する受信部と、リモコン信号の生成部と、リモコン信号の送信部とから構成される請求項１〜６のいずれか１つに記載の照明機器制御システム。
【発明の詳細な説明】
【技術分野】
【０００１】
この発明は、照明機器制御システムに関し、詳しくは照明機器を目標点灯状態になるように遠隔制御する制御システムに関するものである。
【背景技術】
【０００２】
リモコン機能付き照明機器を制御するリモコン制御装置に関する従来技術としては、以下の４つが挙げられる。
まず、１つのリモコンで異なるメーカや異なる型式の照明機器を制御するために、リモコン自体に多種のリモコン信号を予め記憶させておき、任意のリモコン信号を選択できるようにしたものが知られている（例えば特許文献１参照）。
【０００３】
また、家電機器を予め記憶させたリモコンのコントロール信号以外にリモコン信号をダウンロードして記憶させるものが知られている（例えば特許文献２参照）。
【０００４】
また、１つのリモコンで複数の制御コードをリモコン内部に予め記憶させたり、専用リモコンから赤外線信号を受信して制御コードを記憶させるものが知られている（例えば特許文献３参照）。
【０００５】
また、コンピュータから家電機器の操作設定のための指令信号を受信記憶するものが知られている（例えば特許文献４参照）。
【特許文献１】特開２００２−２３１４６４号公報
【特許文献２】特開平１０−２０７５０９号公報
【特許文献３】特開２００３−５１９６２号公報
【特許文献４】特開２００４−１９４０８４号公報
【発明の開示】
【発明が解決しようとする課題】
【０００６】
従来の技術では、設置されているリモコン機能付きの照明機器に対応した専用のリモコン、または、異なるメーカや異なる型式のリモコン信号を予め記憶させた多機種対応リモコンが必要であった。
【０００７】
またリモコン制御方式には、ダイレクト式とサイクル式の２種類の方式がある。
ダイレクト式とは、例えば照明機器の点灯状態が、全灯、半灯、豆灯、消灯の各点灯状態があるとき、各点灯状態に対応する個別のコードを設定し、それぞれのリモコンコードによって各点灯状態に直接切り替える方式であり、また、サイクル式とは、同一のリモコンコードを送信する度に点灯状態が段階的に変化する方式である。
このような、各点灯状態に対応する複数のコードを有するダイレクト式と１つしかコードがないサイクル式が混在する照明機器を１つのリモコンで対応することは容易でなく、また、ネットワーク等を介して遠隔制御する照明機器の場合、点灯状態がわからないので目標とする点灯状態に制御することが困難であった。
【０００８】
この発明は、以上のような事情を考慮してなされたものであり、現状の点灯状態が分からなくても、照明機器を目標点灯状態となるように遠隔制御できる照明機器制御システムを提供するものである。
【０００９】
この発明は、中央制御部と、中央制御部とネットワークを介して接続され照明機器へリモコン信号を送信して照明機器の点灯状態を制御する照明制御部と、照明機器の照度を検出する照度検出部とを備え、照明制御部は、中央制御部からネットワークを介して送信されるリモコン信号生成情報と、照度検出部から伝送される照度情報とから照明機器を目標点灯状態に導くようにリモコン信号を生成することを特徴とする照明機器制御システムを提供するものである。
【発明の効果】
【００１０】
この発明によれば、照明制御部はネットワークから受信したリモコン信号生成情報と照度情報とに基づいて照明機器を目標点灯状態に導くようにリモコン信号を生成することができるので、現状の点灯状態が分からなくても、照明機器を目標点灯状態となるように遠隔制御できる。
【発明を実施するための最良の形態】
【００１１】
この発明による照明機器制御システムは、中央制御部と、中央制御部とネットワークを介して接続され照明機器へリモコン信号を送信して照明機器の点灯状態を制御する照明制御部と、照明機器の照度を検出する照度検出部とを備え、照明制御部は、中央制御部からネットワークを介して送信されるリモコン信号生成情報と、照度検出部から伝送される照度情報とから照明機器を目標点灯状態に導くようにリモコン信号を生成することを特徴とする。
【００１２】
この発明による照明機器制御システムにおいて照明機器とは、リモコン信号によって点灯状態を制御できるものであればよい。
点灯状態とは、照度の異なる点灯状態を意味し、消灯状態のような照度の無い状態も含む。
リモコン信号生成情報とは、照明制御部がリモコン信号を生成するうえで必要となる情報を意味する。
【００１３】
リモコン信号とは、リモコン信号生成情報から生成され、照明機器の点灯状態を制御する信号を意味する。
ネットワークとは、情報の通信経路を意味し、例えばＬＡＮやインターネットなどが挙げられる。
中央制御部とは、リモコン信号生成情報をネットワークに送信できるものであればよく、特に限定されるものではないが、例えば、ホームゲートウェイ、ホームサーバ、パソコン、家庭内の家電機器集中コントローラ等が挙げられる。
【００１４】
照明制御部とは、照度情報とネットワークから受信したリモコン信号生成情報とに基づいてリモコン信号を生成し、生成したリモコン信号を照明機器に送信する装置を意味する。
照度検出部とは、照明機器の照度を検出できるものであればよく、特に限定されるものではないが、例えば、照度センサなどが挙げられる。照度検出部は照明機器の照度とともに照度の変化を計測する機能を備えていてもよい。
目標点灯状態とは、照明機器の所望の点灯状態を意味し、例えば「全灯状態」や「消灯状態」などが挙げられる。
【００１５】
この発明による照明機器制御システムは、照明機器が、リモコン信号を受信する度に全灯状態から消灯状態へ照度を段階的に減少させ再び全灯状態に戻るサイクルを繰り返すサイクル式であり、照明制御部は照度検出部から照度が増したことを示す照度情報を得たときに、照明機器が消灯状態から全灯状態へ変化したと判断し、目標点灯状態へ導く基準点灯状態を予め設定する機能を備えていてもよい。
このような構成によれば、サイクル式の照明機器で現状の点灯状態が分らない場合においても、照明制御部は照度が増したことを示す照度情報を得たときに、照明機器が消灯状態から全灯状態になったことを判断するので、この全灯状態を目標点灯状態へ導くうえでの基準点灯状態とすることができる。
【００１６】
なお、ここでサイクル式とは、１種類の同じリモコン信号を受信する度に点灯状態が、例えば全灯から半灯、豆灯そして消灯に移行し、再び全灯状態に戻るサイクルを繰り返す照明機器が挙げられ、全灯と消灯以外の点灯状態の段階数は特に限定されるものではない。
【００１７】
この発明による照明機器制御システムにおいて、照明制御部は、照度検出部から照度が増したことを示す照度情報を得てから再び同情報を得るまでに要したリモコン信号の送信回数に基づいて前記サイクルを認識し、前記基準点灯状態から目標点灯状態へ導くのに必要なリモコン信号の送信回数を予め判断してリモコン信号を生成する機能を備えていてもよい。
このような構成によれば、照明制御部は、全灯状態を基準点灯状態として点灯状態の１サイクルに要するリモコン信号の送信回数を認識するので、照明機器を基準点灯状態から目標点灯状態に導くのに必要なリモコン信号の送信回数を予め判断することが可能になる。
【００１８】
この発明による照明機器制御システムにおいて、中央制御部は、制御すべき照明機器に対応したリモコン信号生成情報を作成するための情報を外部情報源からネットワークを介して取得する機能を備えていてもよい。
このような構成によれば、リモコン信号で制御できる照明機器である限り、リモコン信号生成情報を外部情報源から取得することにより、後で発売される照明機器を含めどのような照明機器でも点灯状態を制御することができる。
なお、ここでネットワークとは、例えばインターネットが挙げられ、また、外部情報とは、照明機器メーカのＷｅｂサイトが挙げられる。
【００１９】
この発明による照明機器制御システムにおいて、前記リモコン信号生成情報は、照明機器の目標点灯状態を示す情報を含んでいてもよい。
【００２０】
また、リモコン信号生成情報が目標点灯状態を示す情報を含む上記構成において、リモコン信号生成情報はリモコン信号のキャリア周波数、フォーマットおよびリモコンコードの少なくとも１つの情報を含み、照明制御部は受信したリモコン信号生成情報を記憶する記憶部を備え、記憶部に記憶された前記情報に基づいてリモコン信号を生成してもよい。
このような構成によれば、最初に受信したリモコン信号生成情報のうち、リモコン信号のキャリア周波数、フォーマットおよびリモコンコードの情報が記憶されるため、２回目以降に送受信されるリモコン信号生成情報は照明機器の目標点灯状態を示す情報だけで済む。これにより送受信データの容量を減らすことができ、処理の簡素化を図ることが可能となる。
【００２１】
なお、ここで記憶部とは、情報を記憶する領域を意味し、特に限定されるものではないが、例えば、コンピュータにおける主記憶装置や外部記憶装置などが挙げられる。
また、リモコン信号のキャリア周波数とは、リモコン信号のキャリア（搬送波）の周波数を意味し、一般的な赤外線リモコンの方式に準拠しているものであればよい。
【００２２】
また、フォーマットとは、リモコン信号の基本識別信号を示し、メーカや型式のコード、基本パルス長、信号の開始と終了を表すヘッダやフッタのパルス幅やパルス長等を意味する。
また、リモコンコードとは、ある照明機器の指令信号一式のコード体系を意味する。
【００２３】
この発明による照明機器制御システムにおいて、照明制御部は、リモコン信号生成情報を受信する受信部と、リモコン信号の生成部と、リモコン信号の送信部とから構成されていてもよい。
【００２４】
なお、ここで受信部とは、ネットワークからリモコン信号生成信号を受信する機能を備えたものであればよく、特に限定されるものではないが、例えば、ケーブルや無線ＬＡＮ装置などが挙げられる。
【００２５】
また、生成部とは、照度情報と受信部から伝送されたリモコン信号生成情報とに基づいてリモコン信号を生成し、送信部に伝送する機能を備えたものであればよく、特に限定されるものではないが、例えば、ＣＰＵ、ＲＡＭ、ＲＯＭ、Ｉ／Ｏポートなどにより構成されるコンピュータなどが挙げられる。
生成部はリモコン信号の生成にあたり、リモコン信号生成情報の他に、照度検出部から伝送された照度情報から照明機器の現状の点灯状態を確認して、照明機器を目標の点灯状態に移行させる機能を備えていてもよい。
また、生成部はリモコン信号生成のための発振回路やＡＮＤロジック等を備えていてもよい。
【００２６】
また、送信部とは、生成部から伝送されたリモコン信号を赤外線信号として照明機器に向けて送信する機能を備えたものであればよく、特に限定されるものではないが例えば、リモコン信号送信装置が挙げられる。
送信部は照明機器に赤外線によるリモコン信号を送信するために、駆動回路や赤外線ＬＥＤ等を備えていてもよい。
【実施例】
【００２７】
以下、図面に示す実施例に基づいてこの発明を詳細に説明する。
【００２８】
図１は実施例による照明機器制御システムの構成図、図２は照明制御部を構成する生成部および送信部並びに照度検出部の構成図、図９および図１０は照明機器制御システムのフローチャート図である。
【００２９】
図１に示されるとおり、照明機器制御システム１００は、主に中央制御部１と照明制御部３がネットワーク２で繋がれた構成を有している。
中央制御部１は、制御対象の照明機器（図示せず）のリモコン信号生成情報をネットワーク２へ送信するサーバ等の装置である。
照明制御部３は、ネットワーク２を介して受信したリモコン信号生成情報等に基づいてリモコン信号を生成して照明機器に送信する照明機器コントローラ等の装置である。
【００３０】
照明制御部３は受信部４、生成部５および送信部６から構成されている。生成部５は照度検出部７に接続されている。
受信部４は、リモコン信号のキャリア周波数、フォーマット、リモコンコードおよび目標点灯状態を示す情報を含むリモコン信号生成情報を、ネットワーク２から受信して生成部５に伝送する役割を持ち、ネットワーク２と有線接続されている場合はコネクタであり、無線接続されている場合は無線ＬＡＮ装置である。
生成部５は、受信部４から伝送されるリモコン信号生成情報と、照度検出部７から伝送される照度情報に基づいてリモコン信号を生成し、送信部６に伝送するコンピュータである。
送信部６は、生成部５で生成されたリモコン信号を赤外線信号として照明機器に向けて発信するリモコン信号送信装置である。
照度検出部７は、照明機器の照度および照度の変化を検出し、検出した情報を生成部５に伝送する照度センサである。
【００３１】
更に図２に示されるとおり、生成部５はマイクロコンピュータ８、発振回路９およびＡＮＤロジック１０から構成され、送信部６は駆動回路１１および赤外線ＬＥＤ１２で構成され、照度検出部７は照度センサ１４および信号増幅回路１３から構成されている。
【００３２】
まず、図９及び図１０に示されるフローチャートに沿って、照明機器制御システムの制御の手順を説明する。以下の説明において、図１及び図２の構成に該当する部分には同一の参照符号を付しているので、必要であれば適宜、図１および図２を参照されたい。
【００３３】
まず、ステップ１において中央制御部１は、ネットワーク２に、制御対象の照明機器（図示せず）を目標点灯状態にするためのリモコン信号生成情報を送信するにあたり、リモコン信号生成情報を既に取得しているかどうかを判断する。
ステップ１でリモコン信号生成情報を未だに取得していないと判断すれば、ステップ２に進み、インターネットを介して照明機器メーカＷｅｂサイトにアクセスし、リモコン信号生成情報を取得する。
一方、ステップ１でリモコン信号生成情報を取得済であれば、ステップ３に進み、ユーザが目標点灯状態（全灯、消灯等の点灯状態および設定日時等）を中央制御部１に入力して前記リモコン信号生成情報に加える。
目標点灯状態がリモコン信号生成情報に加えられるとステップ４に進み、リモコン信号生成情報をネットワーク２へ送信する。
【００３４】
ステップ４でリモコン信号生成情報が送信されるとステップ５に進み、照明制御部３は、ネットワーク２からリモコン信号生成情報を受信し記憶する。
特にリモコン信号生成情報のうち、リモコン信号のキャリア周波数、フォーマットおよびリモコンコードについては、対象の照明機器を制御するための基本情報であるため、以後リモコン信号を生成する際は、記憶したリモコン信号生成情報を活用することが可能である。
照明制御部３がリモコン信号生成情報を受信して記憶すると、ステップ６に進み、照明制御部３は受信したリモコン信号生成情報から、制御対象の照明機器がダイレクト式かサイクル式のどちらであるかを判断する。
【００３５】
ステップ６で制御対象の照明機器がダイレクト式であると判断すると、ステップ７に進み、照明制御部３はリモコン信号生成情報から目標点灯状態に対応するリモコン信号を生成する。
ステップ７で目標とするリモコン信号が生成されると、ステップ８に進み、リモコン信号を照明機器に送信する。
ステップ８で照明制御部３からリモコン信号が照明機器に送信されると、ステップ９に進み、照明制御部３は照度検出部７から伝送される照度情報から、照明機器の点灯状態が目標点灯状態になったか否かを判断する。
目標点灯状態になったと判断すれば一連のフローを終了する。
一方、ステップ９で目標点灯態になっていないと判断した場合は、ステップ８に戻り再びリモコン信号を照明機器に送信する。
【００３６】
一方、ステップ６で制御対象の照明機器がサイクル式であると判断すると、ステップ１０に進み、照明制御部３は、リモコン信号生成情報に基づきリモコン信号を生成し、さらにステップ１１に進み、リモコン信号を照明機器に送信する。
ステップ１１でリモコン信号を送信し、ステップ１２において照度の増加を検出した場合、ステップ１３に進み、照明機器が全灯状態に変化したと判断する。
一方、ステップ１２で照明機器の照度の増加が検出されなければ、ステップ１１に戻り照度の増加が検出されるまでステップ１１〜１２の間のサイクルを繰り返す。
【００３７】
ステップ１３で照明機器が全灯状態へ変化したことを判断すると、ステップ１４に進み、照明制御部３は、照明機器にリモコン信号を送信するとともに送信回数をカウントする。
ステップ１４でリモコン信号を送信し、ステップ１５で照度の増加を検出した場合、ステップ１６に進み、照明機器が全灯状態に変化したと判断し、この状態を基準点灯状態として設定する。
ステップ１６で照明機器が全灯状態に変化したと判断するとステップ１７に進み、照明機器がステップ１３の全灯状態からステップ１６の全灯状態になるまでに送信したリモコン信号の送信回数を計算する。
一方、ステップ１５で照明機器の照度の増加が検出されなければ、ステップ１４に戻り照度の増加が検出されるまでステップ１４〜１５の間のサイクルを繰り返す。
【００３８】
ステップ１７で最初の全灯状態から次の全灯状態になるまでのリモコン信号の送信回数を計算すると、ステップ１８に進み、基準点灯状態から目標点灯状態に導くのに要するリモコン信号の送信回数を計算する。
つまり、このステップ１７により、照明制御部３は最初の全灯状態から次の全灯状態までの１サイクルに要するリモコン信号の送信回数を認識する。これにより、例えば、照明機器を消灯状態にしたいときは、１サイクルに要するリモコン信号の送信回数より１回少ない回数だけリモコン信号を送信すればよいと判断する。
ステップ１８で目標点灯状態に導くうえで必要となるリモコン信号送信回数を計算すると、ステップ１９に進み、照明制御部３は、照明機器にリモコン信号を前記回数分送信し、一連のフローを終了する。
【００３９】
次に、生成情報からリモコン信号を生成する過程を図１〜８を用いて説明する。
上述のとおり、受信部４はネットワーク２を介して中央制御部１との間でデータの受信等を行う機能を備えている。
また、生成部５は図２に示すようにＰＷＭ（Ｐｕｌｓｅ  Ｗｉｄｔｈ  Ｍｏｄｕｌａｔｉｏｎ：パルス幅変調）出力機能を有したマイクロコンピュータ８、発振回路９およびＡＮＤロジック１０を備え、受信部４から伝送されたリモコン信号生成情報からリモコン信号の生成に必要な情報を抽出し、抽出した情報に基づいてリモコン信号を生成し、送信部６にリモコン信号を伝送する機能を備えている。
また、送信部６は生成部５から伝送されたリモコン信号を赤外線のリモコン信号として、制御対象の照明機器（図示せず）の赤外線受光部に向けて出力することにより、照明機器の制御を行う機能を有している。
【００４０】
まず、中央制御部１からリモコン信号生成情報がネットワーク２を介して照明制御部３の受信部４に伝送されると、受信部４は受信したデータを生成部５に伝送する。
【００４１】
中央制御部１から照明制御部３に送信されるリモコン信号生成情報には、リモコン信号のキャリア周波数、リモコン信号のフォーマット、リモコンコードおよび目標点灯状態を示す情報が含まれている。
また、リモコン信号のフォーマット情報は、ヘッダのパルス幅、ヘッダ長、基本パルス幅、データ“０”のパルス間隔、データ“１”のパルス間隔、フッタのパルス幅、フッタ長から構成されている。
【００４２】
生成部５は受信したリモコン信号生成情報から、リモコン信号のキャリア周波数とリモコン信号のフォーマットとリモコンコードを抽出する。
抽出したリモコン信号のフォーマットからヘッダのパルス幅とヘッダ長を抽出し、リモコン信号のヘッダ部を生成する。図３にヘッダのパルス幅とヘッダ長から生成されるリモコン信号のヘッダ部の波形を示す。
【００４３】
次にリモコン信号のフォーマットから基本パルス幅、データ“０”のパルス間隔、データ“１”のパルス間隔を抽出し、抽出したリモコンコードおよび目標点灯状態を示す情報に基づいてリモコン信号のデータ部を生成する。図４に基本パルス幅とデータ“０”のパルス間隔から生成されるリモコン信号のデータ“０”の波形を示す。図５に基本パルス幅とデータ“１”のパルス間隔から生成されるリモコン信号のデータ“１”の波形を示す。
【００４４】
次に抽出したリモコン信号のフォーマットからフッタのパルス幅およびフッタ長を抽出し、リモコン信号のフッタ部を生成する。図６にフッタのパルス幅およびフッタ長から生成されるリモコン信号のフッタ部の波形を示す。
【００４５】
更に抽出したリモコン信号のキャリア周波数に設定したパルス幅をＰＷＭ出力端子から出力すると同時に、生成したリモコン信号のヘッダ部とデータ部とフッタ部をＩ／Ｏ出力端子から順次出力する。図７にＰＷＭ出力端子から出力されるリモコン信号のキャリア周波数のパルス波形を示す。
【００４６】
ＰＷＭ出力端子とＩ／Ｏ出力端子から出力された２つの信号は、ＡＮＤロジック１０で処理が行われ、リモコン信号として送信部６に伝送される。図８にＰＷＭ出力端子とＩ／Ｏ出力端子から出力された２つの信号をＡＮＤロジック１０で処理したパルス波形例を示す。
【００４７】
送信部６は生成部５から伝送されたリモコン信号を駆動回路１１と赤外線ＬＥＤ１２を用いて赤外線のリモコン信号に変換して制御対象の照明機器に出力する。これによって照明機器を制御できるようになる。
【００４８】
また、この発明の照明機器制御システムは、家庭内ＬＡＮ等の限定された環境のみならず、例えばインターネットに接続することも可能である。
インターネットに接続することにより、中央制御部１は所望の照明機器のリモコン信号生成情報を、照明機器メーカのＷｅｂサイトからダウンロードすること等により、取得することが可能であるため、制御できる照明機器は特定メーカの特定機種のみに制約されず、リモコン信号によって点灯状態を制御できる照明機器であれば、後で発売される照明機器も含めどのような製品でも制御することが可能になる。
【図面の簡単な説明】
【００４９】
【図１】この発明の実施例による照明機器制御システムの構成図である。
【図２】生成部、送信部および照度検出部の構成図である。
【図３】リモコン信号のヘッダ部の波形を示す説明図である。
【図４】リモコン信号のデータ“０”の波形を示す説明図である。
【図５】リモコン信号のデータ“１”の波形を示す説明図である。
【図６】リモコン信号のフッタ部の波形を示す説明図である。
【図７】キャリア周波数のパルス波形を示す説明図である。
【図８】リモコン信号のデータ部のパルス波形例を示す説明図である。
【図９】照明機器制御システムのフローチャート図である。
【図１０】照明機器制御システムのフローチャート図である。
【符号の説明】
【００５０】
１            中央制御部
２            ネットワーク
３            照明制御部
４            受信部
５            生成部
６            送信部
７            照度検出部
８            マイクロコンピュータ
９            発振回路
１０          ＡＮＤロジック
１１          駆動回路
１２          赤外線ＬＥＤ
１３          信号増幅回路
１４          照度センサ
１００        照明機器制御システム
【図１】
2007141771.tif 000003
【図２】
2007141771.tif 000004
【図３】
2007141771.tif 000005
【図４】
2007141771.tif 000006
【図５】
2007141771.tif 000007
【図６】
2007141771.tif 000008
【図７】
2007141771.tif 000009
【図８】
2007141771.tif 000010
【図９】
2007141771.tif 000011
【図１０】
2007141771.tif 000012